(57)【要約】  図１に示すように、完全山部２４のシャンク側山部２４ｂの切れ刃２６のすくい面には、ねじ山高さＨnejiの１５％〜１００％の範囲内の面取り高さＨmen で面取り３０が設けられているため、面取り３０に沿って切り屑が外周側へ押し出され易くなり、切り屑の噛み込みそのものが抑制されるとともに、面取り３０によって切れ刃強度が高くなるため、切り屑の噛み込みによる刃欠けや折損が効果的に防止される。また、完全山部２４のうち先端側の１山を越え且つ５山以下の食付き側山部２４ａは、元通りの完全な切れ刃形状を有するとともに、面取り３０が設けられたシャンク側山部２４ｂも切れ刃２６部分以外は元のねじ山形状であるため、完全山部２４の全域で優れた案内作用が得られ、高い加工精度でめねじを切削加工することができる。
2008075402.tif 000002
【特許請求の範囲】
【請求項１】
おねじを分断するように設けられたねじれ溝に沿って切れ刃が形成されているねじ部を有し、下穴内に該ねじ部がねじ込まれることにより、前記切れ刃によって該下穴の内周面にめねじを切削加工するとともに、前記ねじれ溝によって切り屑をシャンク側へ排出するスパイラルタップにおいて、
前記ねじ部の完全山部には、食付き部に連続する先端側の１山を越え且つ５山以下の食付き側山部を残して、それよりもシャンク側に位置するシャンク側山部の切れ刃のすくい面に、ねじ山の頂へ向かうに従って周方向へ後退する面取りが設けられているとともに、
該面取りの面取り高さＨmen は、前記完全山部におけるねじ山高さＨnejiの１５％〜１００％の範囲内とされている
ことを特徴とするスパイラルタップ。
【請求項２】
前記面取りは、平坦な平面取りまたは円弧形状のＲ面取りである
ことを特徴とする請求項１に記載のスパイラルタップ。
【請求項３】
前記面取りは、前記ねじれ溝に沿って形成される切れ刃に対して垂直な断面における角度で２０乃至６０°の範囲内で形成される平面取りである
ことを特徴とする請求項１または２に記載のスパイラルタップ。
【請求項４】
前記ねじれ溝のねじれ角は、１５乃至５０°である
ことを特徴とする請求項１乃至３のいずれかに記載のスパイラルタップ。
【請求項５】
前記切れ刃は、２乃至６枚である
ことを特徴とする請求項１乃至４のいずれかに記載のスパイラルタップ。
【発明の詳細な説明】
【技術分野】
【０００１】
本発明はスパイラルタップに係り、特に、食付き部によって形成されたねじ穴に完全山部がねじ込まれる際に切り屑を噛み込んで刃欠けや折損が生じることを防止する技術に関するものである。
【背景技術】
【０００２】
おねじを分断するように設けられたねじれ溝に沿って切れ刃が形成されているねじ部を有し、下穴内にそのねじ部がねじ込まれることにより、前記切れ刃によってその下穴の内周面にめねじを切削加工するとともに、前記ねじれ溝によって切り屑をシャンク側へ排出するスパイラルタップが、例えば特許文献１に記載されている。図４の(a) は、このようなスパイラルタップを用いたタップ立て加工の一例を示す断面図で、このスパイラルタップ１００のねじ部１０２には右ねじれのねじれ溝１０４に沿って切れ刃が設けられており、シャンク１０６側から見て右まわりに回転駆動されることによりタップ立てを行う。被加工物１１０には、予め下穴１１２が設けられており、その下穴１１２内にスパイラルタップ１００が先端側からねじ込まれることにより、その下穴１１２の内周面にめねじを切削加工する。その場合に、切り屑はねじれ溝１０４によって下穴１１２の外部に排出されるが、食付き部によって形成されたねじ穴１１４に完全山部がねじ込まれる際に、その切り屑を噛み込んで刃欠けが生じたりタップ１００が折損したりすることがある。特に、水溶性切削油剤やＭＱＬ（Minimum Quantity Lubrication；最少量潤滑）などの使用で切れ味が悪くなると、切り屑がカールし難くなって長く伸び、不規則な動きをするようになるため、切り屑を噛み込み易くなって刃欠けや折損が顕著になる。【０００３】
これに対し、特許文献２には、図４の(b) に示すように、上記ねじ部１０２の完全山部のうち、食付き部１２０に連続する先端側の２〜５山の食付き側山部１２２を残して、それよりもシャンク１０６側に位置するシャンク側山部１２４の頂部分を有効径付近から切除（山払い）することにより、切れ刃の先端部分の刃欠けを防止する技術が提案されている。
【特許文献１】特開平４−７５８１６号公報
【特許文献２】特開平１０−１１８８４４号公報
【発明の開示】
【発明が解決しようとする課題】
【０００４】
しかしながら、上記特許文献２に記載のスパイラルタップは、有効径付近から先（外周側）の部分を切除しただけであるため、その切除後においても切れ刃側の先端が尖っており、依然として切り屑を噛み込み易いとともに刃欠けを生じ易く、必ずしも十分に満足できるものではなかった。【０００５】
本発明は以上の事情を背景として為されたもので、その目的とするところは、食付き部によって形成されたねじ穴に完全山部がねじ込まれる際に、切り屑を噛み込んで刃欠けや折損が生じることを一層効果的に防止することにある。
【課題を解決するための手段】
【０００６】
かかる目的を達成するために、第１発明は、おねじを分断するように設けられたねじれ溝に沿って切れ刃が形成されているねじ部を有し、下穴内にそのねじ部がねじ込まれることにより、前記切れ刃によってその下穴の内周面にめねじを切削加工するとともに、前記ねじれ溝によって切り屑をシャンク側へ排出するスパイラルタップにおいて、(a) 前記ねじ部の完全山部には、食付き部に連続する先端側の１山を越え且つ５山以下の食付き側山部を残して、それよりもシャンク側に位置するシャンク側山部の切れ刃のすくい面に、ねじ山の頂へ向かうに従って周方向へ後退する面取りが設けられているとともに、(b) その面取りの面取り高さＨmen は、前記完全山部におけるねじ山高さＨnejiの１５％〜１００％の範囲内とされていることを特徴とする。【０００７】
第２発明は、第１発明のスパイラルタップにおいて、前記面取りは、平坦な平面取りまたは円弧形状のＲ面取りであることを特徴とする。
【発明の効果】
【０００８】
このようなスパイラルタップにおいては、ねじ部の完全山部のうちシャンク側に位置するシャンク側山部の切れ刃のすくい面に、完全山部におけるねじ山高さＨnejiの１５％〜１００％の範囲内の面取り高さＨmen で面取りが設けられているため、その面取りに沿って切り屑が外周側へ押し出され易くなり、切り屑の噛み込みそのものが抑制されるとともに、面取りによって切れ刃強度が高くなるため、切り屑の噛み込みによる刃欠けや折損が効果的に防止される。また、ねじ部の完全山部のうち食付き部に連続する先端側の１山を越え且つ５山以下の食付き側山部は、元通りの完全なねじ山形状を有するとともに、上記面取りが設けられたシャンク側山部も切れ刃部分以外は元のねじ山形状を維持することができるため、有効径付近から頂部分を円筒形状に山払いする場合に比較して、完全山部の全域で優れた案内作用（リード送り）が得られるようにすることが可能で、高い加工精度でめねじを切削加工することができる。
【図面の簡単な説明】
【０００９】
【図１】本発明の一実施例であるスパイラルタップを示す図で、(a) は正面図、(b) は(a) におけるＢ−Ｂ断面の拡大図、(c) は(a) におけるＣ−Ｃ断面の拡大図である。
【図２】本発明の他の実施例を説明する図で、図１の(c) に対応する断面図である。
【図３】本発明品を含む１０種類の試験品No１〜No１０をそれぞれ２本ずつ用いて耐久性試験を行った結果を説明する図で、(a) は１０種類の試験品の諸元を説明する図、(b) は耐久性試験の試験結果を示す図である。
【図４】従来のスパイラルタップを説明する図で、(a) は下穴内にねじ部がねじ込まれてタップ立てを行っている状態を示す断面図、(b) は切り屑の噛み込みを防止するために完全山部に円筒山払いが施されたスパイラルタップを示す正面図である。
【符号の説明】
【００１０】
１０：スパイラルタップ    １６：ねじ部    ２０：ねじれ溝    ２４：完全山部    ２４ａ：食付き側山部    ２４ｂ：シャンク側山部    ２６：切れ刃    ３０：面取り（平面取り）    ３２：Ｒ面取り（面取り）    Ｏ：軸心    Ｈmen ：面取り高さ    Ｈneji：ねじ山高さ    θ：面取り角度
【発明を実施するための最良の形態】
【００１１】
本発明のスパイラルタップは、切り屑がシャンク側へ排出されるもので、具体的には右ねじれのねじれ溝に沿って切れ刃が設けられたスパイラルタップをシャンク側から見て右まわりに回転駆動して切削加工する場合、および左ねじれのねじれ溝に沿って切れ刃が設けられたスパイラルタップをシャンク側から見て左まわりに回転駆動して切削加工する場合がある。【００１２】
上記スパイラルタップは、例えば高速度工具鋼（ハイス）や超硬合金等の種々の工具材料を用いて構成することが可能で、必要に応じてＴｉＡｌＮやＴｉＮ、ＴｉＣＮ等の硬質被膜をコーティングすることもできる。また、水溶性切削油剤やＭＱＬ（最少量潤滑）、或いは切削油剤無しのドライ加工など、切れ味が悪くて切り屑が伸び易く、不規則な動きをするような場合に、本発明のスパイラルタップは特に優れた効果を発揮するが、潤滑油剤を十分に供給しながらタップ立てを行うウェット加工で用いることも勿論可能である。【００１３】
完全山部のうち、すくい面に面取りを設けない食付き側山部は、１山以下だとタップを高い精度で案内（リード送り）することができなくなる一方、５山を越えると切り屑を噛み込み易くなって刃欠けや折損が生じ易くなるため、１山を越え且つ５山以下とする必要がある。【００１４】
面取り高さＨmen は、面取り前の切れ刃の先端（外周縁）を基準とする径方向の寸法である。完全山部におけるねじ山高さＨnejiは、ねじ山の谷底から頂までの径方向の寸法で、具体的には「（タップ外径−タップ谷径）／２」で表される。そして、面取り高さＨmen がねじ山高さＨnejiの１５％未満であると、面取りによる切り屑の噛み込み抑制作用や切れ刃強度の向上効果が十分に得られない一方、１００％を越えると下穴（ねじ穴）との間に隙間が生じて却って切り屑を噛み込み易くなるため、ねじ山高さＨnejiの１５％〜１００％の範囲内とする必要がある。この面取り高さＨmen は一定であっても良いが、所定の範囲内で軸方向において連続的または段階的に変化させたり、或いは複数の切れ刃毎に異なる寸法としたりすることも可能である。【００１５】
面取り形状は、平坦な平面取りでも円弧形状のＲ面取りでも良い。平面取りの場合、切れ刃に対して直角な断面において、面取り前の切れ刃の先端（外周縁）とタップ軸心Ｏとを結ぶ基準線Ｌに対する面取り角度θは、小さ過ぎると面取りによる切り屑の噛み込み抑制作用や切れ刃強度の向上効果が適切に得られないため、例えば２０°程度以上が望ましい。また、面取り角度θが大き過ぎると、面取りとすくい面との間の角度が小さくなって切り屑が引っ掛かり易くなるため、例えば６０°程度以下とすることが望ましい。この面取り角度θは一定であっても良いが、所定の範囲内で軸方向において連続的または段階的に変化させたり、或いは複数の切れ刃毎に異なる角度としたりすることも可能である。【００１６】
Ｒ面取りは、例えば切れ刃に対して直角な断面において、すくい面およびねじ山の頂に対して滑らかに接続される略一定の半径の円弧形状とされるが、加工の都合などで曲率が連続的に変化している円弧形状であっても良い。【００１７】
完全山部のねじ山には、エキセントリックレリーフ等の逃げを設けることが望ましいが、逃げの無い一定の径寸法のねじ山を採用することも可能である。すなわち、本発明は完全山部のうちのシャンク側山部の切れ刃のすくい面に面取りが設けられておれば良く、ねじ山の逃げについては、その有無を含めて種々の態様が可能で、例えばねじ山の頂付近を円筒形状に山払いすることも可能である。【００１８】
ねじ部に設けられるねじれ溝のねじれ角は、切り屑の排出性の点で、例えば１５°〜５０°程度の範囲内が望ましい。また、切れ刃の刃数は、被削材質やタップサイズにより例えば２枚〜６枚程度が適当である。
【実施例】
【００１９】
以下、本発明の実施例を、図面を参照しつつ詳細に説明する。
図１は、本発明の一実施例である３枚刃のスパイラルタップ１０を示す図で、(a) は軸心Ｏと直角方向から見た正面図、(b) は(a) におけるＢ−Ｂ断面の拡大図、(c) は(a) におけるＣ−Ｃ断面の拡大図である。このスパイラルタップ１０は、シャンク１２、首部１４、およびねじ部１６を、その順番で同一の軸心Ｏ上に一体に備えており、ねじ部１６には加工すべきめねじに対応するねじ溝形状のおねじが設けられているとともに、そのおねじを分断するように３本のねじれ溝２０が設けられている。ねじ部１６は、おねじのねじ山１８が軸方向においてテーパ状に除去された先端側の食付き部２２と、その食付き部２２に連続して設けられた完全なねじ山１８を有する完全山部２４とを備えており、上記ねじれ溝２０との稜線部分に切れ刃２６が形成されている。ねじれ溝２０は右ねじれで、そのねじれ角は１５°〜５０°程度の範囲内で例えば４０°程度とされており、スパイラルタップ１０は、シャンク１２側から見て右まわりに回転駆動されつつ、例えば前記図４の被加工物１１０の下穴１１２内に先端側からねじ込まれることにより、その下穴１１２の内周面にめねじを切削加工するとともに、ねじれ溝２０によって切り屑をシャンク１２側へ排出する。【００２０】
上記完全山部２４には、食付き部２２に連続する先端側の１山を越え且つ５山以下の食付き側山部２４ａを残して、それよりもシャンク１２側に位置するシャンク側山部２４ｂの切れ刃２６のすくい面（ねじれ溝２０の一部）に、ねじ山１８の頂すなわち外周側へ向かうに従って周方向（ヒール側）へ後退する面取り３０が設けられている。図１の(b) は、面取り３０が設けられていない食付き側山部２４ａにおける断面図で、図１の(c) は、面取り３０が設けられたシャンク側山部２４ｂにおける断面図であり、面取り３０の面取り高さＨmen は、完全山部２４におけるねじ山高さＨnejiの１５％〜１００％の範囲内で例えば５０％程度とされている。面取り高さＨmen は、面取り前の切れ刃２６の先端（外周縁）を基準とする径方向の寸法で、ねじ山高さＨnejiは、ねじ山１８の谷底から頂までの径方向の寸法、具体的には「（タップ外径−タップ谷径）／２」である。【００２１】
また、上記面取り３０は平坦な平面取りで、面取り前の切れ刃２６の先端（外周縁）とタップ軸心Ｏとを結ぶ基準線Ｌに対する面取り角度θは、２０°〜６０°の範囲内で、例えば４５°程度とされている。この面取り角度θは、図１の(c) では軸心Ｏに対して直角な断面に示されているが、厳密には、ねじれ溝２０に沿って形成される切れ刃２６に対して直角な断面における角度で、その面取り角度θが２０°〜６０°の範囲内で定められる。【００２２】
なお、前記面取り高さＨmen および面取り角度θは、本実施例では何れもシャンク側山部２４ｂの全域において一定の寸法および一定の角度とされている。また、本実施例のスパイラルタップ１０は高速度工具鋼（粉末ハイス）にて構成されているとともに、ねじ部１６にはＴｉＣＮの硬質被膜がコーティングされている。また、完全山部２４のねじ山１８は、図１の(b) 、(c) ではヒールに至るまで径寸法が一定で逃げが無い場合であるが、必要に応じてエキセントリックレリーフ等の逃げが設けられる。食付き部２２のねじ山１８には、所定の逃げが設けられている。【００２３】
このような本発明のスパイラルタップ１０によれば、ねじ部１６の完全山部２４のうちシャンク１２側に位置するシャンク側山部２４ｂの切れ刃２６のすくい面に、ねじ山高さＨnejiの１５％〜１００％の範囲内の面取り高さＨmen で面取り３０が設けられているため、その面取り３０に沿って切り屑が外周側へ押し出され易くなり、切り屑の噛み込みそのものが抑制されるとともに、面取り３０によって切れ刃２６の強度が高くなるため、切り屑の噛み込みによる刃欠けや折損が効果的に防止され、耐久性（寿命）が向上する。【００２４】
また、ねじ部１６の完全山部２４のうち食付き部２２に連続する先端側の１山を越え且つ５山以下の食付き側山部２４ａは、元通りの完全なねじ山形状を有するとともに、面取り３０が設けられたシャンク側山部２４ｂも切れ刃２６部分以外は元のねじ山形状であるため、有効径付近から頂部分を円筒形状に山払いする場合に比較して、完全山部２４の全域で優れた案内作用（リード送り）が得られ、高い加工精度でめねじを切削加工することができる。【００２５】
また、本実施例では面取り３０として平坦な平面取りが設けられているが、その面取り角度θが２０°〜６０°の範囲内であるため、面取り３０による切り屑の噛み込み抑制作用や切れ刃強度の向上効果が適切に得られ、耐久性が向上する。【００２６】
なお、上記実施例では面取り３０として平坦な平面取りが設けられていたが、図２に示すようにＲ面取り３２を設けるようにしても良い。このＲ面取り３２は、ねじれ溝２０に沿って形成される切れ刃２６に対して直角な断面において、すくい面（ねじれ溝２０）およびねじ山１８の頂に対して何れも滑らかに接続されるように設けられており、例えば略一定の半径の円弧にて構成される。【００２７】
図３は、本発明品を含む１０種類の試験品No１〜No１０をそれぞれ２本ずつ用意し、以下の加工条件でタップ立てを行って耐久性を調べた結果を説明する図で、(a) は１０種類の試験品No１〜No１０の諸元を説明する図である。また、(b) は、刃欠けまたは折損の有無で耐久性を調べた試験結果を示す図である。
（加工条件）
・サイズ：Ｍ８×１．２５
・被削材：ＳＵＳ３０４
・切削速度：８ｍ／ｍｉｎ
・下穴形状：通り穴、φ６．８×２５ｍｍ
・ねじ有効長さ：１６ｍｍ（工具径の２倍）
・切削油剤：水溶性切削油剤
・使用機械：横形マシニングセンタ【００２８】
各試験品No１〜No１０の基本形状は、前記実施例のスパイラルタップ１０と同じで、図３の(a) において下線を付した部分は、本発明と相違する項目である。すなわち、試験品No１は、前記面取り３０または３２が設けられていない従来品である。試験品No２は、食付き側山部２４ａの山数が４山で、シャンク側山部２４ｂでは有効径より頂側の部分が円筒形状に山払いされた前記特許文献２に記載の従来品である。試験品No３は、食付き側山部２４ａの山数が４山で、面取り角度θ＝４５°であるが、面取り高さＨmen がねじ山高さＨnejiの１０％と小さ過ぎる比較品である。試験品No４〜No８は、何れも本発明品で、食付き側山部２４ａの山数は１．５山または４山で、面取り角度θは３０°または４５°、或いは円弧形状のＲ面取りで、面取り高さＨmen はねじ山高さＨnejiの２０％、５０％、或いは１００％である。試験品No９は、食付き側山部２４ａの山数が４山で、面取り角度θ＝４５°であるが、面取り高さＨmen がねじ山高さＨnejiの１．２倍と大き過ぎる比較品である。試験品No１０は、面取り角度θ＝４５°、面取り高さＨmen がねじ山高さＨnejiの５０％であるが、食付き側山部２４ａの山数が６山と多過ぎる比較品である。【００２９】
図３の(b) の試験結果から明らかなように、本発明品の試験品No４〜No８によれば、何れも９００個以上のタップ立てが可能で、特に試験品No５〜No７は、１０００個加工した段階においても、未だ継続してタップ立てを行うことが可能であった。これに対して、試験品No１の従来品は、多い方でも５６個で折損した。有効径部分で円筒山払いした試験品No２は、多い方が５９８個で折損し、試験品No１より耐久性が大幅に向上しているものの、本発明品（試験品No５〜No８）に比べると半分程度である。また、試験品No３の比較品は、多い方でも１０８個で折損し、面取り３０による耐久性向上効果が十分に得られない。試験品No９、No１０の比較品は、それぞれ多い方が６０８個、７５０個で、一応の耐久性向上効果は得られるものの、試験品No２の従来品に比べて大きな差はない。【００３０】
以上、本発明の実施例を図面に基づいて詳細に説明したが、これはあくまでも一実施形態であり、本発明は当業者の知識に基づいて種々の変更，改良を加えた態様で実施することができる。
【産業上の利用可能性】
【００３１】
本発明のスパイラルタップは、ねじ部の完全山部のうちシャンク側に位置するシャンク側山部の切れ刃のすくい面に、ねじ山高さＨnejiの１５％〜１００％の範囲内の面取り高さＨmen で面取りが設けられているため、その面取りに沿って切り屑が外周側へ押し出され易くなり、切り屑の噛み込みそのものが抑制されるとともに、面取りによって切れ刃強度が高くなるため、切り屑の噛み込みによる刃欠けや折損が効果的に防止され、優れた耐久性が得られるものであり、めねじのねじ立て加工に好適に用いられる。
【図１】
2008075402.tif 000003
【図２】
2008075402.tif 000004
【図３】
2008075402.tif 000005
【図４】
2008075402.tif 000006
【国際調査報告】
2008075402.tif 000007
2008075402.tif 000008
2008075402.tif 000009
2008075402.tif 000010